【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
蓄電素子の実容量を演算する容量演算装置であって、
予め求めた蓄電素子の電圧と充電率との相関を示すテーブルを格納する格納手段と、
前記格納手段に格納された前記テーブルを参照して前記実容量を演算する演算手段とを備え、
前記演算手段は、前記テーブルの、前記相関において予め定めた前記充電率の一部の値域に対応する部分を利用して前記実容量を演算する、容量演算装置。
【請求項２】
前記テーブルの、前記予め定めた前記充電率の一部の値域とは、前記蓄電素子の劣化の程度によらず、その対応する前記電圧の変化が所定の範囲内に収まっている値域である、請求項１に記載の容量演算装置。
【請求項３】
前記テーブルの、予め定めた前記充電率の一部の値域は、複数の値域に分割されており、  前記演算手段は、前記複数の値域の全部又は一部に対応する前記電圧の値域を参照して、前記実容量を演算する、請求項１又は２に記載の容量演算装置。
【請求項４】
前記演算手段は、前記蓄電素子の時間的に離隔した任意の二点の電圧と、前記二点間における前記二次電池への充放電に用いた電流の積算値と、前記テーブルを参照して得られる前記二点の電圧に対応する各充電率とを取得して前記実容量を演算する、請求項１から３のいずれかに記載の容量演算装置。
【請求項５】
前記演算手段は、
前記蓄電素子の時間的に離隔した任意の二点の電圧を取得し、
前記テーブルを参照して、前記二点の電圧のいずれか一方の電圧が、前記予め定めた前記充電率の一部の値域に対応する電圧の値域に収まっていない場合は、前記値域の上限値又は下限値のうち、前記一方の電圧に近い値を近似値と定め、
前記テーブルを参照して得られる、前記近似値に対応する前記充電率及び前記取得した他方の電圧に対応する前記充電率と、これら充電率の変化における前記蓄電素子への電流積算値と
を更に取得して、前記実容量に関連する量を演算する、請求項１から４のいずれかに記載の容量演算装置。
【請求項６】
負荷に脱着自在に接続され、これに電力を供給する蓄電素子と、
前記蓄電素子の容量を演算する容量演算手段とを備え、
前記容量演算手段として、請求項１から５のいずれかに記載の容量演算装置を有する、被充電装置。
【請求項７】
蓄電素子の実容量を演算する容量演算方法であって、
予め求めた蓄電素子の電圧と充電率との相関を示すテーブルを参照して前記実容量を演算する演算工程を備え、
前記演算工程は、前記テーブルの、前記相関において予め定めた前記充電率の一部の値域に対応する部分を利用して前記実容量を演算するものである、容量演算方法。
【請求項８】
蓄電素子の実容量の演算に際して参照される予め求めた蓄電素子の電圧と充電率との相関を示すテーブルの、前記演算に際して参照される前記充電率の一部の値域を決定する、充電率の参照値域決定方法であって、
同一の前記蓄電素子に対し、その劣化の程度に応じて複数の前記相関を求める工程と、
前記複数の前記相関を比較して、前記充電率に対応する前記電圧の変化が所定の範囲内に収まっている領域を抽出する工程とを備え、
前記抽出された領域に対応する充電率の値域を前記一部の値域として定める、充電率の参照値域決定方法。
【手続補正２】
【補正対象書類名】明細書
【補正対象項目名】００１５
【補正方法】変更
【補正の内容】
【００１５】
上記の目的を達成するための、本発明の一態様に係る容量演算装置は、蓄電素子の実容量を演算する容量演算装置であって、
予め求めた蓄電素子の電圧と充電率との相関を示すテーブルを格納する格納手段と、
前記格納手段に格納された前記テーブルを参照して前記実容量を演算する演算手段とを備え、
前記演算手段は、前記テーブルの、前記相関において予め定めた前記充電率の一部の値域に対応する部分を利用して前記実容量を演算する、容量演算装置である。
【手続補正３】
【補正対象書類名】明細書
【補正対象項目名】００１６
【補正方法】変更
【補正の内容】
【００１６】
又、本発明の一態様として、前記テーブルの、前記予め定めた前記充電率の一部の値域とは、前記蓄電素子の劣化の程度によらず、その対応する前記電圧の変化が所定の範囲内に収まっている値域であるとしてもよい。
【手続補正４】
【補正対象書類名】明細書
【補正対象項目名】００１７
【補正方法】変更
【補正の内容】
【００１７】
又、本発明の一態様として、前記テーブルの、予め定めた前記充電率の一部の値域は、複数の値域に分割されており、
前記演算手段は、前記複数の値域の全部又は一部に対応する前記電圧の値域を参照して、前記実容量を演算するようにしてもよい。
【手続補正５】
【補正対象書類名】明細書
【補正対象項目名】００１８
【補正方法】変更
【補正の内容】
【００１８】
又、本発明の一態様として、前記テーブルの前記充電率の前記一部の値域又は前記複数の値域の前記一部は、前記充電率が０％以上の部分を含んでいてもよい。
【手続補正６】
【補正対象書類名】明細書
【補正対象項目名】００１９
【補正方法】変更
【補正の内容】
【００１９】
又、本発明の一態様として、前記テーブルの前記充電率の前記一部の値域又は前記複数の値域の前記一部は、前記充電率が１００％以下の部分を含んでいてもよい。
【手続補正７】
【補正対象書類名】明細書
【補正対象項目名】００２０
【補正方法】変更
【補正の内容】
【００２０】
又、本発明の一態様として、前記演算手段は、前記蓄電素子の時間的に離隔した任意の二点の電圧と、前記二点間における前記二次電池への充放電に用いた電流の積算値と、前記テーブルを参照して得られる前記二点の電圧に対応する各容量率とを取得して前記実容量を演算するようにしてもよい。
【手続補正８】
【補正対象書類名】明細書
【補正対象項目名】００２１
【補正方法】変更
【補正の内容】
【００２１】
又、本発明の一態様として、前記演算手段は、
前記蓄電素子の時間的に離隔した任意の二点の電圧を取得し、
前記テーブルを参照して、前記二点の電圧のいずれか一方の電圧が、前記予め定めた前記充電率の一部の値域に対応する電圧の値域に収まっていない場合は、前記値域の上限値又は下限値のうち、前記一方の電圧に近い値を近似値と定め、
前記テーブルを参照して得られる、前記近似値に対応する前記充電率及び前記取得した他方の電圧に対応する前記充電率と、これら充電率の変化における前記蓄電素子への電流積算値と
を更に取得して、前記実容量に関連する量を演算するようにしてもよい。
【手続補正９】
【補正対象書類名】明細書
【補正対象項目名】００２２
【補正方法】変更
【補正の内容】
【００２２】
又、本発明の一態様に係る被充電装置は、負荷に脱着自在に接続され、これに電力を供給する蓄電素子と、
前記蓄電素子の容量を演算する容量演算手段とを備え、
前記容量演算手段として、前記の容量演算装置を有する、被充電装置である。
【手続補正１０】
【補正対象書類名】明細書
【補正対象項目名】００２３
【補正方法】変更
【補正の内容】
【００２３】
又、本発明の一態様は、蓄電素子の実容量を演算する容量演算方法であって、
予め求めた蓄電素子の電圧と充電率との相関を示すテーブルを参照して前記実容量を演算する演算工程を備え、
前記演算工程は、前記テーブルの、前記相関において予め定めた前記充電率の一部の値域に対応する部分を利用して前記実容量を演算するものである、容量演算方法である。
【手続補正１１】
【補正対象書類名】明細書
【補正対象項目名】００２４
【補正方法】変更
【補正の内容】
【００２４】
又、本発明の一態様として、前記テーブルの、前記予め定めた前記充電率の一部の値域とは、前記蓄電素子の劣化の程度によらず、その対応する前記電圧の変化が所定の範囲内に収まっている値域であってもよい。
【手続補正１２】
【補正対象書類名】明細書
【補正対象項目名】００２５
【補正方法】変更
【補正の内容】
【００２５】
又、本発明の一態様は、前記の容量演算方法の、前記演算工程をコンピュータにより実行するためのプログラムである。
【手続補正１３】
【補正対象書類名】明細書
【補正対象項目名】００２６
【補正方法】変更
【補正の内容】
【００２６】
又、本発明の一態様は、蓄電素子の実容量の演算に際して参照される予め求めた蓄電素子の電圧と充電率との相関を示すテーブルの、前記演算に際して参照される前記充電率の一部の値域を決定する、充電率の参照値域決定方法であって、
同一の前記蓄電素子に対し、その劣化の程度に応じて複数の前記相関を求める工程と、
前記複数の前記相関を比較して、前記充電率に対応する前記電圧の変化が所定の範囲内に収まっている領域を抽出する工程とを備え、
前記抽出された領域に対応する充電率の値域を前記一部の値域として定める、充電率の参照値域決定方法である。